(57)【要約】    【課題】  信号配線の特性インピーダンスが一定値の配線基板を提供する。    【解決手段】  網目状の接地配線パターン２０の第一の個別接地配線２１1〜２１6をＸ軸に対して１°≦θ1≦１４°の範囲で傾け、平行四辺形の二辺Ｌ1、Ｌ2をＬ1≠Ｌ2とした。これにより、個別信号配線３１は、第一、第二の個別接地配線２１1〜２１6に対して平行に成らず、第一、第二の個別接地配線２１1〜２１6と第二の個別接地配線２２1〜２２6の交点上を通らないようになり、個別信号配線３１の特性インピーダンスが一定値となる。【選択図】    図４
2006147837.tif 000002
【特許請求の範囲】
【請求項１】
樹脂フィルムと、
前記樹脂フィルムの片面側に配置された信号配線パターンと、
前記樹脂フィルムの反対側の面に配置された接地配線パターンとを有し、
前記信号配線パターンを構成する個別信号配線のうち、いずれか一本の個別信号配線をＸ軸にとると、前記Ｘ軸と交差する個別信号配線は、１５°、３０°、４５°、６０°、７５°、９０°のいずれかの角度で交差するように配置され、
前記接地配線パターンは、互いに平行に配置された複数の第一の個別接地配線と、
前記第一の個別接地配線と交差し、互いに平行に配置された複数の第二の個別接地配線とを有し、前記第一の個別接地配線と前記第二の個別接地配線とで平行四辺形が形成される配線基板であって、
前記第一の個別接地配線と前記Ｘ軸とが交差する正の鋭角θ1は、１°≦θ1≦１４°の範囲にされ、
隣接する前記第一の個別接地配線と、それに交差する隣接する前記第二の個別接地配線とで構成される最小の平行四辺形の交差する二辺の長さは異なるように構成された配線基板。
【請求項２】
前記第二の個別接地配線と前記Ｘ軸とが交差する正の鋭角θ2の値は、１°≦θ2≦１４°、１６°≦θ2≦２９°、３１°≦θ2≦４４°、４６°≦θ2≦５９°、６１°≦θ2≦７４°又は７６°≦θ2≦８９°の範囲とされた請求項１記載の配線基板。
【請求項３】
樹脂フィルムと、
前記樹脂フィルムの片面側に配置された信号配線パターンと、
前記樹脂フィルムの反対側の面に配置された接地配線パターンとを有し、
前記信号配線パターンを構成する個別信号配線のうち、いずれか一本の個別信号配線をＸ軸にとると、前記Ｘ軸と交差する個別信号配線は、３６０°／ｎ(ｎは１８０以下４以上の整数)のいずれかの角度で交差するように配置され、
前記接地配線パターンは、互いに平行に配置された複数の第一の個別接地配線と、
前記第一の個別接地配線と交差し、互いに平行に配置された複数の第二の個別接地配線とを有し、前記第一の個別接地配線と前記第二の個別接地配線とで平行四辺形が形成される配線基板であって、
前記第一の個別接地配線と前記Ｘ軸とが交差する正の鋭角θ1は、１°≦θ1≦３６０°／ｎ−１°の範囲にされ、
隣接する前記第一の個別接地配線と、それに交差する隣接する前記第二の個別接地配線とで構成される最小の平行四辺形の交差する二辺の長さは異なるように構成された配線基板。
【請求項４】
前記第二の個別接地配線と前記Ｘ軸とが交差する正の鋭角θ2の値は、
ｎを４以上１８０以下の整数とし、ｍを、１以上ｎ以下の各整数としたとき、
３６０°／ｎ×(ｍ−１)＋１°≦θ2≦３６０°／ｎ×ｍ−１°  ……(１)
の範囲とされた請求項３記載の配線基板。
【請求項５】
前記最小の平行四辺形の対角線を延長した線分は、前記いずれの個別接地配線とも１°以上の角度で交差するように配置された請求項１乃至請求項４のいずれか１項記載の配線基板。
【請求項６】
前記配線基板は曲げ可能なフレキシブル配線基板である請求項１乃至請求項５のいずれか１項記載の配線基板。
【請求項７】
樹脂フィルムと、
前記樹脂フィルムの片面側に配置された信号配線パターンと、
前記樹脂フィルムの反対側の面に配置された接地配線パターンとを有し、
前記信号配線パターンを構成する個別信号配線のうち、いずれか一本の個別信号配線をＸ軸にとると、前記Ｘ軸と交差する個別信号配線は、１５°、３０°、４５°、６０°、７５°、９０°のいずれかの角度で交差するように配置され、
前記接地配線パターンは、互いに平行に配置された複数の第一の個別接地配線と、
前記第一の個別接地配線と交差し、互いに平行に配置された複数の第二の個別接地配線とを有し、前記第一の個別接地配線と前記第二の個別接地配線とで平行四辺形が形成される配線基板に対する配線パターンの配置方法であって、
前記第一の個別接地配線と前記Ｘ軸とが交差する正の鋭角θ1を、１°≦θ1≦１４°の範囲にし、
隣接する前記第一の個別接地配線と、それに交差する隣接する前記第二の個別接地配線とで構成される最小の平行四辺形の交差する二辺の長さを異ならせる配線パターンの配置方法。
【請求項８】
前記第二の個別接地配線と前記Ｘ軸とが交差する正の鋭角θ2の値を、１°≦θ2≦１４°、１６°≦θ2≦２９°、３１°≦θ2≦４４°、４６°≦θ2≦５９°、６１°≦θ2≦７４°又は７６°≦θ2≦８９°の範囲にする請求項７記載の配線パターンの配置方法。
【請求項９】
樹脂フィルムと、
前記樹脂フィルムの片面側に配置された信号配線パターンと、
前記樹脂フィルムの反対側の面に配置された接地配線パターンとを有し、
前記信号配線パターンを構成する個別信号配線のうち、いずれか一本の個別信号配線をＸ軸にとると、前記Ｘ軸と交差する個別信号配線は、３６０°／ｎ(ｎは１８０以下４以上の整数)のいずれかの角度で交差するように配置され、
前記接地配線パターンは、互いに平行に配置された複数の第一の個別接地配線と、
前記第一の個別接地配線と交差し、互いに平行に配置された複数の第二の個別接地配線とを有し、前記第一の個別接地配線と前記第二の個別接地配線とで平行四辺形が形成される配線基板に対する配線パターンの配置方法であって、
前記第一の個別接地配線と前記Ｘ軸とが交差する正の鋭角θ1を、１°≦θ1≦３６０°／ｎ−１°の範囲にし、
隣接する前記第一の個別接地配線と、それに交差する隣接する前記第二の個別接地配線とで構成される最小の平行四辺形の交差する二辺の長さを異ならせる配線パターンの配置方法。
【請求項１０】
前記第二の個別接地配線と前記Ｘ軸とが交差する正の鋭角θ2の値を、ｎを４以上１８０以下の整数とし、ｍを、１以上ｎ以下の各整数としたとき、
３６０°／ｎ×(ｍ−１)＋１°≦θ2≦３６０°／ｎ×ｍ−１°  ……(１)
の範囲とする請求項９記載の配線パターンの配置方法。
【請求項１１】
前記最小の平行四辺形の対角線を延長した線分は、前記いずれの個別接地配線とも１°以上の角度で交差するように配置する請求項７乃至請求項１０のいずれか１項記載の配線パターンの配置方法。
【請求項１２】
前記配線基板を曲げ可能なフレキシブル配線基板で構成させる請求項７乃至請求項１１のいずれか１項記載の配線パターンの配置方法。
【発明の詳細な説明】
【技術分野】
【０００１】
本発明は配線基板の技術分野に係り、特に、高周波信号の伝達に適した配線基板に関する。
【背景技術】
【０００２】
携帯機器に用いられる配線基板は、信号配線の特性インピーダンスを接続される回路に対して整合させる必要があり、そのため、フレキシブル配線基板の場合では、ベースフィルムの配線パターンが配置された面とは反対側の面に接地配線パターンが設けられている。
【０００３】
図６の符号１２０は、ベースフィルムの裏面に配置された接地配線パターンであり、互いに平行、且つ等間隔に配置された第一の接地配線群１２１と、これも互いに平行且つ等間隔に配置された第二の接地配線群とでメッシュ状の接地配線パターン１２０が形成されている。
【０００４】
信号配線はベースフィルム上で任意の方向に配置し得るが、ベースフィルムの表面上でいずれか１本の信号配線をＸ軸にとった場合、他の信号配線は、αを所定角度とし、ｎをゼロ以上の整数とすると、α×ｎになるように設計されている。
ここで、ｍを整数とするとα＝３６０°／ｍであり、ｍ＝２４の場合はα＝１５°であり、信号配線とＸ軸との成す角度は、０°、１５°、３０°……である。
【０００５】
上記のような接地配線パターン１２０では、第一の接地配線群１２１中の隣接する二本の個別信号配線と、それに交差し、隣接する第二の接地配線群１２２とで、正方形又は菱形の四角形が形成されており、その四角形の頂点を結ぶ線分は、Ｘ軸に対して平行か垂直になっている。
【０００６】
図７の符号１３１1〜１３１4は、信号配線パターンを構成する信号配線である個別信号配線であり、接地配線パターン１２０とはベースフィルムの異なる面に配置されているが、それらの相対的な位置を説明するために、同図では重ねて書かれてある。
【０００７】
Ｘ軸と平行に伸びる個別信号配線１３１1、１３１2には、接地配線パターン１２０と、四角形の頂点上で交差する個別信号配線１３１1と、それとは別に、四角形の辺上で交差する個別信号配線１３１2の二種類が生じてしまう。
【０００８】
図８は、接地配線パターン１２０のメッシュピッチと、個別信号配線１３１1、１３１2の特性インピーダンスの関係を示すグラフである。頂点上で交差する個別信号配線１３１1の方が、辺上で交差する個別信号配線１３１2よりも１０Ωインピーダンスが大きい。
【０００９】
また、従来の接地配線パターン１２０では、個別信号配線１３１1〜１３１4のうち、第一又は第二の接地配線群１２１、１２２と平行になるものが生じてしまい、第一又は第二の接地配線群１２１、１２２を構成する１本の個別接地配線の真上に位置する個別信号配線１３１3と、それとは別に、その側方に位置して接地配線パターン１２０と辺上で交差する個別信号配線１３１4との二種類が生じ、これらも特性インピーダンスが一定と成らない原因になっている。
【００１０】
リジッド配線基板の場合は基板の材料や厚みを変えることで配線インピーダンスを調節することができるが、フレキシブル配線基板の場合は可撓性を維持するために材料や標準厚みが設定されており、インピーダンスを調節することは困難である。
【００１１】
接地配線パターンに関しては以下のような先行技術が存在する。
【特許文献１】特開平４−１２７５９８号
【特許文献２】特開平６−３２６４７６号
【特許文献３】特開平７−２３５７４１号
【特許文献４】特開平７−３２１４６３号
【特許文献５】特開２０００−１１４７２８
【特許文献６】特開２０００−１３８４２５
【特許文献７】特開２０００−１５６５４９
【特許文献８】特開２００１−１８５８２１
【特許文献９】特開２００３−１３３６５９
【発明の開示】
【発明が解決しようとする課題】
【００１２】
本発明は上記従来技術の不都合を解決するために創作されたものであり、その課題は、個別信号配線の特性インピーダンスが配線毎に大きく異ならないように一致させるという点にある。
【課題を解決するための手段】
【００１３】
本発明は、樹脂フィルムと、前記樹脂フィルムの片面側に配置された信号配線パターンと、前記樹脂フィルムの反対側の面に配置された接地配線パターンとを有し、前記信号配線パターンを構成する個別信号配線のうち、いずれか一本の個別信号配線をＸ軸にとると、前記Ｘ軸と交差する個別信号配線は、１５°、３０°、４５°、６０°、７５°、９０°のいずれかの角度で交差するように配置され、前記接地配線パターンは、互いに平行に等間隔に配置された複数の第一の個別接地配線と、前記第一の個別接地配線と交差し、互いに平行に等間隔に配置された複数の第二の個別接地配線とを有し、前記第一の個別接地配線と前記第二の個別接地配線とで平行四辺形が形成される配線基板であって、前記第一の個別接地配線と前記Ｘ軸とが交差する正の鋭角θ1は、１°≦θ1≦１４°の範囲にされ、隣接する前記第一の個別接地配線と、それに交差する隣接する前記第二の個別接地配線とで構成される最小平行四辺形の交差する二辺の長さは異なるように構成された配線基板である。
また、本発明は、前記第二の個別接地配線と前記Ｘ軸とが交差する正の鋭角θ2の値は、１°≦θ2≦１４°、１６°≦θ2≦２９°、３１°≦θ2≦４４°、４６°≦θ2≦５９°、６１°≦θ2≦７４°又は７６°≦θ2≦８９°の範囲とされた配線基板である。
また、本発明は、樹脂フィルムと、前記樹脂フィルムの片面側に配置された信号配線パターンと、前記樹脂フィルムの反対側の面に配置された接地配線パターンとを有し、前記信号配線パターンを構成する個別信号配線のうち、いずれか一本の個別信号配線をＸ軸にとると、前記Ｘ軸と交差する個別信号配線は、３６０°／ｎ(ｎは１８０以下４以上の整数)のいずれかの角度で交差するように配置され、前記接地配線パターンは、互いに平行に等間隔に配置された複数の第一の個別接地配線と、前記第一の個別接地配線と交差し、互いに平行に等間隔に配置された複数の第二の個別接地配線とを有し、前記第一の個別接地配線と前記第二の個別接地配線とで平行四辺形が形成される配線基板であって、前記第一の個別接地配線と前記Ｘ軸とが交差する正の鋭角θ1は、１°≦θ1≦３６０°／ｎ−１°の範囲にされ、隣接する前記第一の個別接地配線と、それに交差する隣接する前記第二の個別接地配線とで構成される最小の平行四辺形の交差する二辺の長さは異なるように構成された配線基板である。
【００１４】
この場合、３６０の約数をｎに選択すると、３６０／ｎが整数となって設計が楽である。少なくとも信号配線同士が９０°で交差する場合が最も信号配線の取りうる角度の種類が少なくなり、ｎ＝４である。
また、最小角度で交差する二本の個別信号配線の両方に対し、第二の個別接地配線が１°以上の角度で交差するように設定する場合には、最小角度は少なくとも２°以上の角度が必要になる。この場合、ｎの最大値は１８０になる。
【００１５】
本発明は、前記第二の個別接地配線と前記Ｘ軸とが交差する正の鋭角θ2の値は、ｎを４以上１８０以下の整数とし、ｍを、１以上ｎ以下の各整数としたとき、
３６０°／ｎ×(ｍ−１)＋１°≦θ2≦３６０°／ｎ×ｍ−１°  ……(１)
の範囲とされたの配線基板である。
【００１６】
上記(１)式の意味は、θ2が、
３６０°／ｎ×０＋１°≦θ2≦３６０°／ｎ×１−１°(ｍ＝１)
３６０°／ｎ×１＋１°≦θ2≦３６０°／ｎ×２−１°(ｍ＝２)
３６０°／ｎ×２＋１°≦θ2≦３６０°／ｎ×３−１°(ｍ＝３)
……
３６０°／ｎ×(ｎ−１)＋１°≦θ2≦３６０°／ｎ×ｎ−１°(ｍ＝ｎ)
のｍ＝１からｍ＝ｎまでの、ｎ個の範囲のいずれかに属しているということである。
【００１７】
また、本発明は、前記最小の平行四辺形の対角線を延長した線分は、前記いずれの個別接地配線とも１°以上の角度で交差するように配置された配線基板である。
また、本発明の配線基板は、前記配線基板は曲げ可能なフレキシブル配線基板とすることができる。ただし、本発明はフレキシブル配線基板に限定されるものではなく、可撓性を有さないリジッド配線板や、リジッド配線板とフレキシブル配線板の一部又は全部を積層した基板も含まれる。
また、本発明の第一、第二の個別接地配線は、接地電位に直流的に接続されており、直流的にも交流的にも接地電位に置かれている場合の他、接地電位には直接接続されていないが、容量性又は誘導性の結合によって接地電位に接続され、直流的には接地電位とは絶縁されているが、交流的には接地電位に接続されているようなフローティング状態も含まれる。
【００１８】
また、本発明の、片面側に信号配線パターンが配置され、反対側の面に接地配線が配置された樹脂フィルムは、一層のものに限定されるものではなく、一乃至複数層の単位樹脂フィルムが積層されているものも含まれる。
また、単位樹脂フィルムが積層されている場合、信号配線パターンや接地配線パターンが異なる単位樹脂フィルムに配置されている場合も含まれる。
【００１９】
また、本発明は、樹脂フィルムと、前記樹脂フィルムの片面側に配置された信号配線パターンと、前記樹脂フィルムの反対側の面に配置された接地配線パターンとを有し、前記信号配線パターンを構成する個別信号配線のうち、いずれか一本の個別信号配線をＸ軸にとると、前記Ｘ軸と交差する個別信号配線は、１５°、３０°、４５°、６０°、７５°、９０°のいずれかの角度で交差するように配置され、前記接地配線パターンは、互いに平行に等間隔に配置された複数の第一の個別接地配線と、前記第一の個別接地配線と交差し、互いに平行に等間隔に配置された複数の第二の個別接地配線とを有し、前記第一の個別接地配線と前記第二の個別接地配線とで平行四辺形が形成される配線基板に対する配線パターンの配置方法であって、前記第一の個別接地配線と前記Ｘ軸とが交差する正の鋭角θ1を、１°≦θ1≦１４°の範囲にし、隣接する前記第一の個別接地配線と、それに交差する隣接する前記第二の個別接地配線とで構成される最小の平行四辺形の交差する二辺の長さを異ならせる配線パターンの配置方法である。
また、本発明は、前記第二の個別接地配線と前記Ｘ軸とが交差する正の鋭角θ2の値を、１°≦θ2≦１４°、１６°≦θ2≦２９°、３１°≦θ2≦４４°、４６°≦θ2≦５９°、６１°≦θ2≦７４°又は７６°≦θ2≦８９°の範囲にする配線パターンの配置方法である。
また、本発明は、樹脂フィルムと、前記樹脂フィルムの片面側に配置された信号配線パターンと、前記樹脂フィルムの反対側の面に配置された接地配線パターンとを有し、前記信号配線パターンを構成する個別信号配線のうち、いずれか一本の個別信号配線をＸ軸にとると、前記Ｘ軸と交差する個別信号配線は、３６０°／ｎ(ｎは１８０以下４以上の整数)のいずれかの角度で交差するように配置され、前記接地配線パターンは、互いに平行に等間隔に配置された複数の第一の個別接地配線と、前記第一の個別接地配線と交差し、互いに平行に等間隔に配置された複数の第二の個別接地配線とを有し、前記第一の個別接地配線と前記第二の個別接地配線とで平行四辺形が形成される配線基板に対する配線パターンの配置方法であって、前記第一の個別接地配線と前記Ｘ軸とが交差する正の鋭角θ1を、１°≦θ1≦３６０°／ｎ−１°の範囲にし、隣接する前記第一の個別接地配線と、それに交差する隣接する前記第二の個別接地配線とで構成される最小の平行四辺形の交差する二辺の長さを異ならせる配線パターンの配置方法である。
また、本発明は、前記第二の個別接地配線と前記Ｘ軸とが交差する正の鋭角θ2の値を、ｎを４以上１８０以下の整数とし、ｍを、１以上ｎ以下の各整数としたとき、
３６０°／ｎ×(ｍ−１)＋１°≦θ2≦３６０°／ｎ×ｍ−１°  ……(１)
の範囲とする配線パターンの配置方法である。
また、本発明は、前記最小の平行四辺形の対角線を延長した線分は、前記いずれの個別接地配線とも１°以上の角度で交差するように配置する配線パターンの配置方法。
また、本発明は、前記配線基板は曲げ可能なフレキシブル配線基板とする配線パターンの配置方法である。
【発明の効果】
【００２０】
本発明装置では、複数の個別信号配線の特性インピーダンスが一定値となるので、信号伝達の精度が上がり、高周波特性に優れている。
【００２１】
本発明方法によれば、一定値の特性インピーダンスを有する個別信号配線の配置が容易になる。
【発明を実施するための最良の形態】
【００２２】
図１は、本発明の配線基板１の断面図であり、ポリイミド等の樹脂フィルムから成るベースフィルム１０の裏面に、銅箔や銅薄膜等の金属膜がパターニングされて成る接地配線パターン２０が配置されており、表面に、同様に銅箔や銅薄膜等の金属膜がパターニングされて成る信号配線パターン３０が配置されている。
【００２３】
ベースフィルム１０は１０μｍ〜３０μｍ、各パターン２０、３０は数μ〜３０μｍ程度の厚みであり、配線基板１は可撓性や屈曲性を有し、曲げることが可能なフレキシブル配線基板である。
【００２４】
ベースフィルム１０の両面には、カバーフィルム４１、４２がそれぞれ配置されており、接地配線パターン２０と信号配線パターン３０は、外部回路との接続部分を除き、露出しないように保護されている。
【００２５】
図２は、信号配線パターン３０の平面形状を説明するための図面である。信号配線パターン３０の直線部分は、複数の個別信号配線３１1〜３１8で構成されている。
【００２６】
個別信号配線３１1〜３１8が伸びる方向のうち、いずれか一方向をＸ軸にとり、他の方向とＸ軸との成す角度をβで表すと(０＜β≦９０°)、任意の個別信号配線３１1〜３１8はＸ軸とβ×ｎ(ｎは０以上の整数)で交差する。ここで、βは、β＝９０°／ｍ(ｍは１以上の整数)である。
ｍ＝６の場合、β＝１５°であり、各個別信号配線３１1〜３１8は、０°、１５°、３０°、４５°、６０°、７５°、９０°の角度でＸ軸と交差する。
【００２７】
図中、符号３１1で示された個別信号配線が伸びる方向をＸ軸にとると、符号３１2は１５°、符号３１3は３０°、符号３１4、３１5は４５°、符号３１6は６０°、符号３１7は７５°、符号３１8は９０°の鋭角又は直角でＸ軸と交わる個別信号配線である。
図３は、接地配線パターン２０の平面形状を説明するための図面である。
【００２８】
接地配線パターン２０はメッシュ状(網状)であり、その網は、互いに平行に等間隔に配置された第一の接地配線群２１と、第一の接地配線群２１と交差し、互いに平行に等間隔に配置された第二の接地配線群２２とで構成されている。
【００２９】
符号２１1〜２１6は、第一の接地配線群２１を構成する第一の個別接地配線を示しており、符号２２1〜２２6は、第二の接地配線群２２を構成する第二の個別接地配線を示している。
【００３０】
隣接する二本の第一の個別接地配線２１1〜２１6と、それに交差する隣接する二本の第二の個別接地配線２２1〜２２6とで形成される四角形は、第一、第二の接地配線群２１、２２の交点で構成される四角形のうちの最小の四角形になる。
【００３１】
そした、隣接する第一の個別接地配線２１1〜２１6間の間隔ｄ1の値と、隣接する第二の個別接地配線２２1〜２２6の間隔ｄ2の値は異なるように構成されており、第一の接地配線群２１と第二の接地配線群２２との交差角度は９０度ではないように構成されているから、最小の四角形は、正方形や長方形や菱形ではない平行四辺形となる。この平行四辺形は、交点で構成される平行四辺形のうち最小の平行四辺形である。
【００３２】
ここでは第一、第二の個別接地配線２１1〜２１6、２２1〜２２6の線幅は等しい。図４は、それら第一、第二の個別接地配線２１1〜２１6、２２1〜２２6の幅方向中央を通る線分とＸ、Ｙ軸の関係を示す図面である。
【００３３】
第一の個別接地配線２１1〜２１6の間隔は、それらの幅方向中央を通る線分の隣接する線分間の距離であり、第二の個別接地配線２２1〜２２6の間隔は、それらの幅方向中央を通る線分のうちの隣接する線分間の距離である。
【００３４】
本発明の第一、第二の個別接地配線２１1〜２１6、２２1〜２２6は、Ｘ軸とβ×ｎの角度で交わる個別信号配線３１のいずれのものに対しても平行ではなく、最低でも１°以上の角度で交差するように配置されている。
【００３５】
β＝１５°の場合、０°、１５°、３０°、４５°、６０°、７５°、又は９０°の角度で交わる個別信号配線３１のいずれのものに対しても平行ではなく、どの個別信号配線３１とも最低でも１°以上の角度で交差するように配置されている。
【００３６】
これにより、どの個別信号配線３１も、第一、第二の個別接地配線２１1〜２１6、２２1〜２２6とは平行にならず、個別信号配線３１が第一又は第二の個別接地配線２１1〜２１6、２２1〜２２6とＸ−Ｙ平面上で重ならないようになっている。
図５は、接地配線パターン２０と信号配線パターン３０とを重ね合わせた図面である。
【００３７】
更に、本発明では、最小の平行四辺形(隣接する二本の第一の個別接地配線２１1〜２１6と、それに交差する隣接する二本の第二の個別接地配線２２1〜２２6とで形成される平行四辺形)の二本の対角線をそれぞれ延長した線分ａ，ｂは、いずれの個別信号配線３１に対しても平行ではなく、どの個別信号配線３１に対しても１°以上の角度で交わるように配置されている。
これにより、どの個別信号線３１も、隣り合う最小の平行四辺形の頂点を連続して通ることが無くなり、特性インピーダンスが一致するようになる。
【００３８】
図４中、符号θ1は、第一の個別接地配線２１1〜２１6とＸ軸とが交差した角度のうち、０°及び９０°を含む正の鋭角であり、その鋭角θ1の値は、１°≦θ1≦β−１°にされており、β＝１５°の場合、１°≦θ1≦１４°の範囲に設定されている。従って、どの個別信号配線３１も第一の個別接地配線２１1〜２１6とも１°以上の角度で交わらないようにされている。
【００３９】
また、符号θ2は、第二の個別接地配線２２1〜２２6とＸ軸とが交差する角度であて、同様に、０°及び９０°を含む正の鋭角の値を採用すると、θ2が採り得る０°以上９０°以下の範囲から、β×ｎ−１°以上β×ｎ＋１°以下の範囲の角度(ｎは０以上の整数)が除外されており、β＝１５°の場合、θ1は、１°≦θ2≦１４°、１６°≦θ2≦２９°、３１°≦θ2≦４４°、４６°≦θ2≦５９°、６１°≦θ2≦７４°又は７６°≦θ2≦８９°の範囲とされている。
【００４０】
その結果、どの個別信号配線３１も第二の個別接地配線２２1〜２２6と１°以上の角度で交わるようにされている。
第一の個別接地配線２１1〜２１6は等間隔であり、第二の個別接地配線２２1〜２２6も等間隔であるが、その間隔は異なる大きさであり、上記最小の平行四辺形の交差する二辺の長さＬ1、Ｌ2は、Ｌ1≠Ｌ2にされている。これにより、最小の平行四辺形の対角線を延長した線分ａ、ｂが、いずれの個別信号配線３１とも平行にならないようにすることができる。
【００４１】
Ｌ1＝Ｌ2にした場合には、個別信号配線３１が第二の個別接地配線２２1〜２２6と１°以上の角度で交わるように設計することが困難になる。
なお、上記実施例では、個別信号配線３１同士が１５°刻み(β＝１５°)で交差していたが、１５°刻みで交わっていると、個別信号配線同士が、９０°の角度で交差する場合と、３０°の角度で交差する場合と、４５°の角度で交差する場合と、６０°の角度で交差する場合が含まれる。３０°、４５°、６０°、９０°の角度で交差すると設計が容易であり、個別信号配線が引き回しやすい。
【００４２】
また、上記実施例では、樹脂フィルムをポリイミドで構成したが、本発明の樹脂フィルムはポリイミドフィルムに限定されるものではない。
【図面の簡単な説明】
【００４３】
【図１】本発明の配線基板の断面図
【図２】本発明の配線基板の個別信号配線の方向を説明するための図面
【図３】本発明の配線基板の接地配線パターンの平面形状を説明するための図面
【図４】本発明の個別接地配線とＸ軸の成す角度を説明するための図面
【図５】本発明の信号配線パターンと接地配線パターンを重ね合わせた状態を説明するための図面
【図６】従来技術の接地配線パターンを説明するための図面
【図７】その接地配線パターンと信号配線パターンの相対的な位置関係を説明するための図面
【図８】接地配線パターンと頂点上で交差する個別信号配線と辺上で交差する信号配線パターンの特性インピーダンスの相違を説明するためのグラフ
【符号の説明】
【００４４】
１０……樹脂フィルム
２０……接地配線パターン
３０……信号配線パターン
２１……第一の接地配線群
２１1〜２１6……第一の個別接地配線
２２……第二の接地配線群
２２1〜２２6……第二の個別接地配線
３１1〜３１8……個別信号配線
θ1……第一の個別接地配線とＸ軸とが交差する鋭角(０°〜９０°)
θ2……第二の個別接地配線とＸ軸とが交差する鋭角(０°〜９０°)
【図１】
2006147837.tif 000003
【図２】
2006147837.tif 000004
【図３】
2006147837.tif 000005
【図４】
2006147837.tif 000006
【図５】
2006147837.tif 000007
【図６】
2006147837.tif 000008
【図７】
2006147837.tif 000009
【図８】
2006147837.tif 000010